【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
流体を投与する注射器用のプランジャーであって、
外面、内面と少なくとも１つの雌ねじとを含む内部の空洞、基端、および先端を有するピストンと、
ロッドと
を備え、
前記ロッドは、基端と先端とを含むロッド本体、および、前記ロッド本体の先端から先端方向へ伸びているねじ部を有し、
前記ねじ部は、少なくとも、先端方向へある長さだけ伸びている部分が前記ピストンの少なくとも１つの雌ねじと螺合しており、前記ピストンの空洞の中で前記ねじ部と前記ピストンの内面との間に換気空間を形成するように構成された換気部を含み、
前記ピストンの基端と前記ロッド本体の先端とは間隔を開けて、前記プランジャーの外部から前記換気空間の中へ、さらに前記ピストンの空洞の中へ伸びている主流路部を形成している
ことを特徴とするプランジャー。
【請求項２】
前記ピストンの空洞は、基端、先端、および第１縦部分を有し、前記第１縦部分は前記少なくとも１つの雌ねじを含み、前記空洞の先端から離れており、
前記ねじ部は少なくとも１つの雄ねじを有し、前記雄ねじは基端と先端とを含み、前記ロッドが先端方向へ前進し切ったとき、前記雄ねじの基端が前記少なくとも１つの雌ねじの先端側に位置するように前記雄ねじは構成されており、
前記換気空間は前記ねじ部と前記ピストンの内面との間に空間を含む、
請求項１に記載のプランジャー。
【請求項３】
前記ピストンの空洞は、基端、先端、および第１縦部分を有し、前記第１縦部分は前記少なくとも１つの雌ねじを含み、前記空洞の先端から離れており、
前記ねじ部は少なくとも１つの雄ねじを有し、前記雄ねじは柄部から伸びており、基端と先端とを含み、前記柄部は基端と先端とを含み、前記雄ねじの基端は前記柄部の基端から離れており、
前記換気空間は前記ねじ部と前記ピストンの内面との間に空間を含む、
請求項１に記載のプランジャー。
【請求項４】
前記ロッド本体は、先端面と側面とを含む外面、および、前記先端面と前記側面との少なくともいずれかから伸びて前記換気空間に連通している予備路を有する、
請求項１に記載のプランジャー。
【請求項５】
前記ピストンの空洞は、基端、先端、および第１縦部分を有し、前記第１縦部分は、外径と内径とが共通する複数の雌ねじを含み、
前記ねじ部は複数の雄ねじを有し、前記複数の雄ねじは１つの柄部から伸びていて、外径が一定であり、前記柄部は基端と先端とを含み、外径が一定ではなく、
前記換気空間は前記柄部と前記複数の雌ねじの最小径の部分との間に空間を含む、
請求項１に記載のプランジャー。
【請求項６】
前記換気空間は前記柄部と前記複数の雌ねじの最小径の部分との間に空間を複数含む、請求項５に記載のプランジャー。
【請求項７】
前記ロッド本体は、先端面と側面とを含む外面、および、前記先端面と前記側面との少なくともいずれかから伸びて前記換気空間に連通している予備路を有する、
請求項６に記載のプランジャー。
【請求項８】
前記ピストンの空洞は、基端、先端、および第１縦部分を有し、前記第１縦部分は、外径と内径とが共通する複数の雌ねじを含み、
前記ねじ部は複数の雄ねじを有し、前記複数の雄ねじは、１本の軸を含む１つの柄部から伸びていて、１つの面取り部分を共有しており、
前記換気空間は前記面取り部分と前記複数の雌ねじとの間に空間を含む、
請求項１に記載のプランジャー。
【請求項９】
前記面取り部分は前記複数の雄ねじの平坦な切断部分を少なくとも１つ含み、
前記換気空間は前記平坦な切断部分と前記複数の雌ねじとの間に空間を含む、
請求項８に記載のプランジャー。
【請求項１０】
前記ロッド本体は、先端面と側面とを含む外面、および前記先端面と前記側面との少なくともいずれかから前記面取り部分へ伸びて前記換気部に連通している予備路を有する、
請求項８または請求項９に記載のプランジャー。
【請求項１１】
前記ロッド本体は、先端面と側面とを含む外面を有し、前記ロッド本体の先端は、前記ロッド本体の側面から前記面取り部分へ伸びている予備路を有する、
請求項８または請求項９に記載のプランジャー。
【請求項１２】
前記予備路は前記ロッド本体の側面から前記面取り部分へ伸びている、
請求項１０に記載のプランジャー。
【請求項１３】
前記ねじ部は、雄ねじの柄部と、前記柄部から伸びている複数の突起とを有し、前記複数の突起は、それらの外周部が１つの不連続な雄ねじを形成するように配置されており、
前記換気空間は、前記複数の突起の間を伸びている空間を含む、
請求項１に記載のプランジャー。
【請求項１４】
前記複数の突起はそれぞれ、半球状の本体と、半球状の外周部を持つ棒状の本体との少なくともいずれかを含む、
請求項１３に記載のプランジャー。
【請求項１５】
前記柄部は直径が一定ではない、請求項１３または請求項１４に記載のプランジャー。
【請求項１６】
前記ロッド本体は、先端面と側面とを含む外面、および、前記ロッド本体の先端面と側面との少なくともいずれかから伸びて前記換気空間に連通している予備路を有する、
請求項１３から請求項１５までのいずれか１項に記載のプランジャー。
【請求項１７】
流体を投与する注射器であって、
開口部を含む基端と、先端とを有するシリンダーと、
請求項１から請求項９までのいずれか１項、または請求項１２から請求項１４までのいずれか１項に記載されたプランジャーと
を備え、
前記プランジャーのピストンが前記シリンダーの中に配置されている注射器。
【請求項１８】
殺菌されたプランジャーを用意する方法であって、
ピストンをプランジャーのロッドに結合させて、請求項１から請求項９までのいずれか１項、または請求項１２から請求項１４までのいずれか１項に記載されたプランジャーを形成するステップと、
前記プランジャーの外側の空間に殺菌用の流体を導入し、前記流体を前記ピストンの空洞へ流入させて前記空洞を殺菌するステップと
を備えた方法。
【請求項１９】
流体投与用の殺菌された注射器を用意する方法であって、
ピストンをプランジャーのロッドに結合させて、請求項１から請求項９までのいずれか１項、または請求項１２から請求項１４までのいずれか１項に記載されたプランジャーを形成するステップと、
基端（開口部を含む。）と先端とを有するシリンダーの中へ前記プランジャーを挿入するステップと、
前記プランジャーの外側の空間に殺菌用の流体を導入し、前記流体を前記ピストンの空洞へ流入させて前記空洞を殺菌するステップと
を備えた方法。
【請求項２０】
注射器のプランジャーのロッドであって、
基端と、周縁を含む先端とを有するロッド本体と、
前記ロッド本体の先端から先端方向へ伸びているねじ部と、
環状面と
を備え、
前記ねじ部は、柄部から伸びている少なくとも１つの雄ねじを有し、前記柄部は基端と先端とを含み、前記柄部の基端は前記ロッド本体の先端の周縁よりも直径が小さく、
前記環状面は前記ロッド本体の先端の周縁と前記柄部の基端との間に広がっており、少なくとも１本の予備路を含み、前記予備路は、前記ロッド本体の先端の周縁と前記柄部の基端との間に位置する流路である
ことを特徴とするロッド。
【請求項２１】
前記流路は少なくとも外周方向へ伸び、前記ロッド本体の先端の周縁まで達している、請求項２０に記載のロッド。
【請求項２２】
前記流路は少なくとも内周方向へ伸び、前記柄部の基端まで達している、請求項２１に記載のロッド。
【請求項２３】
前記流路は少なくとも内周方向へ伸び、前記柄部の基端の手前に端を持つ、請求項２１に記載のロッド。
【請求項２４】
前記流路は先端方向へ、前記少なくとも１つの雄ねじを越えるほどには伸びていない、請求項２０に記載のロッド。
【請求項２５】
高分子材料で構成された、請求項２０に記載のロッド。
【請求項２６】
注射器のプランジャーのロッドであって、
基端と、周縁を含む先端とを有するロッド本体と、
前記ロッド本体の先端から先端方向へ伸びているねじ部と、
環状面と
を備え、
前記ねじ部は、柄部から伸びている少なくとも１つの雄ねじを有し、前記柄部は基端と先端とを含み、前記柄部の基端は前記ロッド本体の先端の周縁よりも直径が小さく、
前記環状面は前記ロッド本体の先端の周縁と前記柄部の基端との間に広がっており、先端方向へ伸びている複数の突起を含む
ことを特徴とするロッド。
【請求項２７】
前記複数の突起は先端方向へ、前記少なくとも１つの雄ねじを越えるほどには伸びていない、請求項２６に記載のロッド。
【請求項２８】
高分子材料で構成された、請求項２６に記載のロッド。